(57)【特許請求の範囲】
【請求項１】
上端部と、下端部と、間隔をおいた概ね平行な複数の側面とをそれぞれが有する、概ね湾曲しているプレキャストコンクリートの一連の複数のアーチ部材と、
前記アーチ部材の前記下端部を受け入れる細長いくぼんだ溝を備えた第１のフーチングと、
前記第１のフーチングの前記溝と概ね平行で前記アーチ部材の前記下端部を受け入れる細長いくぼんだ溝も有し、前記第１のフーチングに対して、概ね平行、かつこれと間隔を空けている第２のフーチングと、
前記アーチ部材の鉄筋と前記各フーチングの鉄筋とを互いに接続する現場打ちの一連の複数のフーチングブロックと、
前記各アーチ部材の下端部が前記各フーチングの溝内に配置された状態で、前記各アーチ部材の頭頂部が前記各フーチングの溝と概ね平行な頂部の線に沿って接触し、包囲空間の概ね半円形の屋根を形成するように並べて配置されている複数の、前記アーチ部材の対と、
前記包囲空間の後面を構成する垂直な背板と、
第１および第２の側面を有し、前記包囲空間の前面を構成する垂直な前板と、
それぞれが後面を有し、前記前板の側面の延長部として配列される複数のプレキャストパネルと、
前記プレキャストパネルの後面に取り付けられる機械的に安定させる複数の部材と、
機械的に安定している部材に少なくとも一部が摩擦係合している締固められている土であって、前記アーチ部材の少なくとも一部を埋設し、前記包囲空間の上に機械的に安定した構造物を形成する締固められた土と、
を有する掩蔽壕の構造。
【請求項２】
半円形状を形成するはめ合わさった複数のアーチ部材の前記側面が横方向にずれている、請求項１に記載の掩蔽壕の構造。
【請求項３】
現場打ちの頂部部材を、前記はめ合わさった複数のアーチ部材の上端部の上方にさらに有する、請求項１に記載の掩蔽壕の構造。
【請求項４】
前記板部材が複数の鉄筋を有する鉄筋コンクリートである、請求項１に記載の掩蔽壕の構造。
【請求項５】
前記複数の鉄筋が導電体であり、前記鉄筋が電気的に接続され接地されている、請求項４に記載の掩蔽壕の構造。
【請求項６】
前記前板が掩蔽壕内部への戸口を有する、請求項１に記載の掩蔽壕の構造。
【請求項７】
前記はめ合わさった複数のアーチ部材の上端部が現場打ちの金属板を有する、請求項１に記載の掩蔽壕の構造。
【請求項８】
向かい合う複数の金属板が、協働する雄型および雌型として形成されている、請求項７に記載の掩蔽壕の構造。
【請求項９】
前記複数のフーチングの間に床板をさらに有する、請求項１に記載の掩蔽壕の構造。
【請求項１０】
前記向かい合う複数のアーチ部材が概ね四分円の形状をした、準半円形の部材である、請求項１に記載の掩蔽壕の構造。
【請求項１１】
前記掩蔽壕の構造によって前記包囲空間のまわりに規定され、接地されたファラデーケージを形成するように、電気的に接続されている導電性の金属部材を、前記掩蔽壕の構造部材内に有する、請求項１に記載の掩蔽壕の構造。
【発明の詳細な説明】
【０００１】
発明の背景
本発明は掩蔽壕の構造に関し、特に、軍用品および他の爆発物または危険物の貯蔵に使用できる種類の掩蔽壕の構造に関する。
【０００２】
従来、軍用品および他の爆発物を、例えば、地下の穴、現場打ちコンクリートの包囲空間、または土で覆われた鉄筋コンクリートの包囲空間などの掩蔽壕に貯蔵するのが慣例であった。このような掩蔽壕施設を製作および建設する費用は、要求される安全性の厳しさのため、極めて高額となることが多い。また、そのような建設には非常に時間がかかる。したがって、掩蔽壕を速やかに造る、すなわち建設するための、改良された方法を開発する必要があった。他の要求および要望は、即時必要な場所で速やかに組み立てることができる掩蔽壕の構造を提供することである。
【０００３】
本発明の主要部分は、プレハブ部材の構造および組立方法にある。この刷新的な構造によって、政府機関の安全要求事項、特に電気的な連続性、すなわち電光放電からの保護特性を満たす、経済性に優れた解決策が得られる。
発明の概要
簡単に述べると、本発明は、一部がプレキャストコンクリート部品で造られることで現場打ちコンクリートの必要を少なくする掩蔽壕の構造を有する。この掩蔽壕の構造は、並べて配置されるプレキャストコンクリートの複数のアーチ部材を有し、複数のアーチ部材はフーチングと組み合わせて組み立てられ、アーチ部材によって形成される半円形の屋根の頂端において中心線に沿って互いに係合する。前板および背板（現場打ちコンクリートの壁）ならびにアーチ部材と組み合わせた底板（現場打ちコンクリートの床およびフーチング）は、掩蔽壕の内部に包囲空間を形成する。プレキャスト製のアーチ部材は一部がコンクリートブロックによって底板に連結されている。コンクリートブロック、プレキャスト製の各アーチユニット当たりの少なくとも１つのブロックは、底板をアーチユニットに相互接続する鉄筋を備えた部材を有する。同様に、プレキャスト製のアーチ部材は、連続する頂部部材によって頂端に沿って、向かい合った各アーチ部材に連結されている。連続する頂部部材は、向かい合うアーチ部材を互いに繋ぐ鉄筋を有する部材である。アーチ部材と底板との間およびアーチ部材間のこれらの相互接続によって電気的な連続性をもたせることで、掩蔽壕の環境内に存在する静電気の放電を防止し、特に電光放電の影響から保護するファラデーケージの効果が得られる。
【０００４】
掩蔽壕の前板は、矩形の防護扉を備えた垂直な現場打ちコンクリートの壁で形成されている。前板の両側に翼壁が造られている。２つの翼壁は、それぞれが、土による機械的に安定な構造物のプレキャストコンクリートパネルの列によって構成されており、その目的は、土を掩蔽壕の上および周囲に保持することである。この土は、配置され、締固められ、それからプレキャストコンクリートパネルに取り付けられた鋼帯によって固定され、これによって掩蔽壕の一体性と防護特性がさらに向上する。
【０００５】
したがって、本発明の目的は、少なくとも一部が、導入されると十分に電光放電を防止するプレハブ構造の部材で造られている、改良された掩蔽壕の構造を見いだすことである。
【０００６】
本発明の別の目的は、壊滅的な状況下で優れた、すなわち高い特性を有する掩蔽壕の構造を提供することである。
【０００７】
本発明のさらに別の目的は、高い移動性を備えた建設機械を用いて、さまざまなプレキャストコンクリート部材から、迅速かつ容易に組み立てることが可能な掩蔽壕の構造を提供することである。
【０００８】
本発明のさらに別の目的は、さまざまな現場において最小量の建設機械で容易かつ迅速に組み立てられる、概ね半円形のプレキャスト製のアーチ部材の列からなる掩蔽壕の構造を提供することである。
【０００９】
本発明の前述および他の目的、利点、および特徴を以下の詳細な説明に記載する。
【００１０】
以下の詳細な説明では、以下の図を含む図面が参照されている。
好適な実施形態の説明
図を参照すると、本発明の掩蔽壕の構造は、概ね平行な現場打ちの第１および第２のフーチング１０および１２を備えている。各フーチング１０および１２は平面上に成形され、上部の溝部、すなわち、溝１４および１６をそれぞれ含んでいる。平行な溝１４および１６は、アーチ部材の下端部を以下に記載されるように受け入れて保持するのに適した深さと形状の溝である。
【００１１】
プレキャスト製で、四分円の準半円形からなるアーチ部材１８および２０は、それぞれが下端部２２と上端部２４を有する。プレキャスト製のアーチ部材は間隔をおいた側部２６および２８を有する。アーチ部材１８、２０は、図７に示されているように、それらの上端部２４が対向した、すなわち向かい合った関係に配置されている。各アーチ部材１８、２０の上端部２４は、成形された端板３０および３２を有する。端板３０および３２は対になった形状をしており、図７に示されているように一方が他方に合うようになっている。このように、アーチ部材１８、２０の上端部２４は、はめ合わされる際、軸線３３に沿って並び、互いのはめ合いが外れることはない。図７に示されている対になった個々の端板３０および３２は本発明の限定的な特徴ではないが、はまり合う半円形であることが好ましい。端板３０および３２は鋼製で、プレキャスト製のアーチ部材１８、２０の形状の一部を形成することが好ましい。前述のように、これらは包囲空間の屋根を構成する、プレキャスト製のアーチ部材１８、２０の中心線である軸線３３に沿ってはめ合わさる。
【００１２】
実際には、アーチ部材１８および２０は四分円の準半円形の部材であり、形成された屋根による包囲空間の両端の部材以外は共通の幅を有する。すなわち、両端を形成するアーチ部材の幅は、対向するアーチ部材の幅の約１／２であるので、対向するアーチ部材は、例えば図２に示されているように、互いにずれている。このようにして包囲空間の構造の一体性が強化されている。例えば、楕円の一部分、１／４より大きい円弧、双曲線の一部分など、四分円形の円弧部材以外の湾曲した形状を使用しても良いことに注意されたい。
【００１３】
現場打ちの端板、すなわち背板４０は、組み立てられたアーチ部材１８、２０の内側、すなわち後面端部にはめ込まれる。向かい合うアーチ部材１８、２０がはめ合わされる、アーチ部材１８、２０の頂端の中心線である軸線３３は、現場打ちの頂部部材４２を含む。この頂部部材４２によって、軸線３３の両側間に縦方向の構造的な連続性および電気的的な連続性がもたらされる。現場打ちの底板（床）４４は包囲空間の底を形成する。床４４は、フーチング１０および１４に接触していることに注意されたい。
【００１４】
戸口を形成する開口部５２を備えた現場打ちの前板５０は、掩蔽壕の包囲空間の前方端部を形成するように設けられている。扉開口部すなわち入口部５２は、スチールの扉またはそこに取り付けられる他の任意の種類の安全扉を有していてもよい。図１に示されるように、アーチ部材１８および２０が概ね半円形の包囲空間を形成し、前板５０が概ね矩形であることに注意されたい。アーチ部材１８、２０および／または前板５０と背板４０の開口部を通る適切な通気口を掩蔽壕に形成してもよい。前板５０は、両側部、すなわち垂直な縁端部を有する。現場打ちの前板５０の垂直な２つの縁端部は、図２に示されているように、くぼんだ２つのへり部７０をその裏側に備えている。掩蔽壕の建設中、アーチ部材１８、２０間の接合部は漏れを防ぐために適切なシート材７２で通常覆われる。
【００１５】
板５８および６０の裏側には、米国特許第４，１１６，０１０号に記載されているような鋼製の帯状補強材６２が取り付けられる。締固められた土６４が、帯状補強材６２を摩擦によって少なくとも部分的に覆うように設けられている。こうして掩蔽壕の前面および側面に沿って、土による機械的に安定した構造物が構築される。帯状補強材６２は、締固められた土６４および関連のある板とともに、掩蔽壕の構造の一体性を増強する集合体を形成する。
【００１６】
掩蔽壕の構造は、掩蔽壕の防護機能を高めるために、アーチ部材１８、２０を覆う締固められた土を有する。掩蔽壕を形成するさまざまな部材は、一般に、鉄筋を内部に備えている鉄筋コンクリートである。好適な実施態様では、鉄筋は、掩蔽壕の包囲空間内の環境における静電放電を防止するため、ファラデーケージの効果がもたらされるように電気的に相互に接続されている。この放電からの保護は、この構造物の電気的な接続部品として機能する、頂部部材４２および現場打ちのフーチングブロック８０を介して主として行われる。例えばフーチング１２などの現場打ちフーチングは、例えばフーチングブロック８０の棒材８４などの棒材に連結された、例えば鉄筋８２などの導電性の棒材を有する。次に導電性の棒材８４は、例えばアーチ部材１８などのシェル、すなわちアーチ部材の外側から突出する例えばループ８６などのループと電気的に接続される。また、アーチ部材１８は、プレキャスト製のアーチ部材１８内の鉄筋またはロッド等と電気的にさらに接続されている、突出する金属のループ８８をその両端に有する。ループ８８は前板５０内の鉄筋に接触し、この鉄筋に電気的に接続している。同様に、背板４０ならびに床４４は、他の構成部品の棒材、ロッド、または網目と接続する、棒材、ロッド、または線材からなる格子をいずれも有する。ロッド９０の列は同様に頂部部材４２内に設けられているとともに、掩蔽壕の包囲空間を形成する構成部品の内部に保持されているすべての金網部材の間を連続して電気的に接続する金属のロッドループ９１が、頂部部材から延びている。このように、実質上、金網のケージが掩蔽壕の包囲空間を囲んでいる。その後、この金網のケージは、掩蔽壕の収容物に着火するおそれがある火花の発生を防止し、かつこの環境内における電光放電または他の電気的作用を打ち消すために接地されている。
【００１７】
この構造は本発明の範囲から逸脱せずに種々の方法で変更できる。例えば、アーチ部材の形状および輪郭を変えてもよい。
【００１８】
このように本発明は、添付された請求項およびその等価物によってのみ限定されるものである。
【図面の簡単な説明】
【図１】  本発明の掩蔽壕の構造の正面図である。
【図２】  図１の掩蔽壕の構造の上面図である。
【図３】  図２の線３−３における掩蔽壕の構造の断面図である。
【図４】  図２の線４−４における掩蔽壕の構造の横断面図である。
【図５】  図４の線５−５における掩蔽壕の構造の断面図である。
【図６】  一部が組み立てられた掩蔽壕の構造の斜視図である。
【図７】  掩蔽壕の構造の半円形の屋根を形成するプレキャスト製のアーチ部材に関連しているアーチ接合構造の拡大断面図である。
【図８】  アーチ部材内の棒材とフーチングを連結して掩蔽壕内の電気的な連続性をもたらす導電性の棒材を有するフーチングブロックの詳細斜視図である。
【図１】
0004727114.tif 000002
【図２】
0004727114.tif 000003
【図３】
0004727114.tif 000004
【図５】
0004727114.tif 000005
【図４】
0004727114.tif 000006
【図６】
0004727114.tif 000007
【図７】
0004727114.tif 000008
【図８】
0004727114.tif 000009